(57)【特許請求の範囲】
【請求項１】
加入者試験を行う加入者試験システムにおいて、
加入者交換機と、アクセスネットワークとを含み、前記加入者交換機と前記アクセスネットワークとは、前記加入者試験の試験仕様が規定されていないインタフェース回線である試験不可回線で接続され、運用時には、前記試験不可回線を通じて、前記加入者交換機と前記アクセスネットワーク間で通信が行われる通信ネットワークと、
前記加入者交換機に接続して、前記加入者試験の対象端末を識別し、前記加入者試験の試験内容を含む試験情報を生成する加入者試験端末と、
前記加入者交換機と前記アクセスネットワークとのそれぞれに接続される加入者端末の加入者情報を収集して一括して管理する加入者情報管理部と、前記アクセスネットワークに接続される加入者端末の中から、前記加入者試験の対象端末を決定する試験加入者決定部と、から構成され、前記加入者試験端末に接続する加入者情報制御装置と、
前記加入者情報制御装置に接続し、前記アクセスネットワークに接続される加入者端末の中の前記加入者試験の対象端末に対して、前記加入者試験を実行する加入者試験実行装置と、
を有し、
前記通信ネットワーク内の加入者端末間での通信中に障害が発生し、前記加入者交換機に接続される加入者端末から前記加入者試験端末に対して、前記加入者試験の実行要求が上がった場合であって、前記加入者試験が実行される加入者端末側を試験対象端末とした際に、
前記加入者試験端末は、前記試験対象端末が前記加入者交換機または前記アクセスネットワークのどちらに接続されるものかを判断し、前記加入者交換機に接続される場合には、前記加入者交換機を介して前記試験情報を前記試験対象端末へ送信して前記加入者試験を実行し、前記アクセスネットワークに接続される場合には、前記試験対象端末を識別するための識別情報を生成して前記加入者情報制御装置へ送信し、
前記加入者情報制御装置は、前記加入者情報の中から前記識別情報を検索して、前記アクセスネットワークに接続される加入者端末の中から前記試験対象端末を決定し、
前記加入者試験実行装置は、前記試験不可回線以外の伝送路を通じて前記試験情報を受信し、前記試験不可回線を介さずに、前記加入者情報制御装置で決定された前記試験対象端末に対して前記加入者試験を実行する、
ことを特徴とする加入者試験システム。
【請求項２】
前記加入者情報管理部は、前記加入者交換機に接続する加入者端末の加入者情報または前記アクセスネットワークに接続する加入者端末の加入者情報の変更があった場合は、自動的に更新を行うことを特徴とする請求項１記載の加入者試験システム。
【発明の詳細な説明】
【０００１】
【発明の属する技術分野】
本発明は加入者試験システムに関し、特に加入者試験を行う加入者試験システムに関する。
【０００２】
【従来の技術】
現在、電気通信サービスは多種多様なものが求められ、これらのサービスを提供するための通信ネットワークは複雑化、巨大化している。
【０００３】
このような状況の中で、通信ネットワークの伝送路を運用保守するためには、広域に設置された伝送設備からの警報情報や、加入者からの苦情に関する呼等を保守センタに集約するとともに、試験を行って障害箇所を迅速、的確に発見することが必要となる。
【０００４】
一方、電話網のデータ通信に対する国際標準インタフェースとして、ＩＴＵ−Ｔ、ＥＴＳＩで規定されているものにＶシリーズ勧告がある。特にＶシリーズ勧告の中のＶ５インタフェースは、ＬＥ（Local Exchange：加入者線交換機）と、ＣＴ（Central Terminal：局装置）及びＲＴ（Remote Terminal ：端局装置）から構成されるＡＮ（Access Network）と、の間のオープンなインタフェース仕様であり、ＬＥベンダとＡＮベンダがその仕様に合わせることで、異なるベンダ間での組合せが自由に行える。
【０００５】
また、Ｖ５インタフェースには、Ｖ５．１インタフェースとＶ５．２インタフェースがある。図１１はＶ５．１インタフェースの概略システム構成を示す図である。
【０００６】
ＡＮ３００は、ＣＴ３０１とＲＴ３０２から構成される。ＣＴ３０１とＬＥ２００間は２Ｍのディジタル回線Ｌ１で接続する。このＣＴ３０１とＬＥ２００間のオープンインタフェース仕様がＶ５．１インタフェースである。
【０００７】
また、ＲＴ３０２とＣＴ３０１は、光ケーブルＬｏで接続する。さらに、ＲＴ３０２には、アナログ電話機やＩＳＤＮ−ＢＲＡ（Basic Rate Access ：２Ｂ＋Ｄの基本インタフェース )のディジタル端末が接続する。
【０００８】
ここで、Ｖ５．１インタフェースでは、例えば６４Ｋのディジタル電話機が３０ｃｈ分、ＲＴ３０２に接続するとすれば、２Ｍのディジタル回線Ｌ１は１本必要であり、６０ｃｈ接続するとすれば、２Ｍのディジタル回線Ｌ１は２本必要になる。
【０００９】
図１２はＶ５．２インタフェースの概略システム構成を示す図である。ＡＮ３００はＣＴ３０１とＲＴ３０２から構成される。ＣＴ３０１とＬＥ２００間は２Ｍのディジタル回線Ｌ２で接続する。このＣＴ３０１とＬＥ２００間のオープンインタフェース仕様がＶ５．２インタフェースである。
【００１０】
また、ＲＴ３０２とＣＴ３０１は、光ケーブルＬｏで接続する。さらに、ＲＴ３０２には、アナログ電話機、ＩＳＤＮ−ＢＲＡ、ＩＳＤＮ−ＰＲＡ（Primary Rate Access ：２３Ｂ＋Ｄまたは２４Ｂ／Ｄの１次群インタフェース）のディジタル端末が接続する。
【００１１】
Ｖ５．２インタフェースのシステムでは、Ｖ５．１インタフェースと大きく異なる点として、ＲＴ３０２内に集線装置３０２ａが含まれること、及びＣＴ３０１とＬＥ２００間の２Ｍのディジタル回線Ｌ２が最小２本から（WorkとProtectionの冗長関係を持たせる理由により最小２本から）最大１６本まで接続できることである。
【００１２】
ここで、６４Ｋのディジタル電話機が１２０ｃｈ分、ＲＴ３０２に接続するとすれば、Ｖ５．１インタフェースでは２Ｍのディジタル回線Ｌ１が４本必要となるが、実際にはすべてのディジタル電話機へ一度にサービスを提供する確率は低い。
【００１３】
したがって、６４Ｋのディジタル電話機が１２０ｃｈ分、ＲＴ３０２に接続するとしても、トラフィックを考慮した結果、Ｖ５．１インタフェースを用いる必要がないのであれば、経済性等の観点から、集線機能を有するＶ５．２インタフェースが適用される。
【００１４】
一方、Ｖ５インタフェースには試験方法が規定されていない。このためＶ５インタフェースを用いたシステムにおける加入者試験では、Ｖ５インタフェースのディジタル回線を通じて、例えばＬＥ２００側からＡＮ３００収容の加入者に対して、試験設定の通知等が行えず、従来ではそれぞれ別個の試験端末から操作している。
【００１５】
図１３はＶ５インタフェースにおける従来の加入者試験のシステム構成を示す図である。ＬＥ２００にはＬＥ用加入者試験端末１００とＬＥ加入者が接続する。ＬＥ２００とＡＮ３００内のＣＴ３０１は、Ｖ５インタフェースの２Ｍのディジタル回線Ｌで接続する。ＣＴ３０１はＡＮ用加入者試験端末１０１と接続し、ＲＴ３０２とは光ファイバＬｏで接続する。ＲＴ３０２にはＡＮ加入者が接続する。
【００１６】
従来の加入者試験のシステムでは、Ｖ５インタフェースのディジタル回線を通じての試験が行えない。したがって、図に示すように、ＬＥ用加入者試験端末１００は、ＬＥ２００が直接収容しているＬＥ加入者に対して加入者試験を行い、ＡＮ用加入者試験端末１０１は、ＡＮ３００が収容しているＡＮ加入者に対して加入者試験を行うといった構成をとっている。
【００１７】
【発明が解決しようとする課題】
しかし、上記のような従来の加入者試験のシステムでは、ＬＥ加入者とＡＮ加入者をそれぞれ別個の試験端末から操作しなければならないため、保守者の負担が増加し、作業効率が悪化するといった問題があった。
【００１８】
また、ＬＥ２００内のデータベース及びＡＮ３００内のデータベースに、各種の加入者情報が格納されるが、従来ではこれらは一括管理されていない。このため、ＬＥ２００内のデータベースに格納されている加入者情報と、ＡＮ３００内のデータベースに格納されている加入者情報とは、それぞれ別々に更新されたりするので、更新後の情報にずれが発生するおそれがある。その場合、誤った加入者に対して試験を行ってしまう等の不都合が生じてしまい、保守品質が低下するといった問題があった。
【００１９】
本発明はこのような点に鑑みてなされたものであり、加入者試験の試験効率及び保守品質の向上を図った加入者試験システムを提供することを目的とする。
【００２０】
【課題を解決するための手段】
本発明では上記課題を解決するために、図３に示すような、加入者試験を行う加入者試験システム１において、加入者交換機２０と、アクセスネットワーク３０とを含み、加入者交換機２０とアクセスネットワーク３０とは、加入者試験の試験仕様が規定されていないインタフェース回線である試験不可回線Ｌで接続され、運用時には、試験不可回線Ｌを通じて、加入者交換機２０とアクセスネットワーク３０間で通信が行われる通信ネットワークと、加入者交換機２０に接続して、加入者試験の対象端末を識別し、加入者試験の試験内容を含む試験情報を生成する加入者試験端末１１と、加入者交換機２０とアクセスネットワーク３０とのそれぞれに接続される加入者端末ＳＵａ−ａ〜ＳＵａ−ｎ、ＳＵｂ−ａ〜ＳＵｂ−ｎの加入者情報を収集して一括して管理する加入者情報管理部１２ａと、アクセスネットワーク３０に接続される加入者端末ＳＵｂ−ａ〜ＳＵｂ−ｎの中から、加入者試験の対象端末を決定する試験加入者決定部１２ｂと、から構成され、加入者試験端末に接続する加入者情報制御装置１２と、加入者情報制御装置１２に接続し、アクセスネットワーク３０に接続される加入者端末ＳＵｂ−ａ〜ＳＵｂ−ｎの中の加入者試験の対象端末に対して、加入者試験を実行する加入者試験実行装置１３−１と、を有し、通信ネットワーク内の加入者端末間での通信中に障害が発生し、加入者交換機２０に接続される加入者端末ＳＵａ−ａ〜ＳＵａ−ｎから加入者試験端末１１に対して、加入者試験の実行要求が上がった場合であって、加入者試験が実行される加入者端末側を試験対象端末とした際に、加入者試験端末１１は、試験対象端末が加入者交換機２０またはアクセスネットワーク３０のどちらに接続されるものかを判断し、加入者交換機２０に接続される場合には、加入者交換機２０を介して試験情報を試験対象端末へ送信して加入者試験を実行し、アクセスネットワーク３０に接続される場合には、試験対象端末を識別するための識別情報を生成して加入者情報制御装置１２へ送信し、加入者情報制御装置１２は、加入者情報の中から識別情報を検索して、アクセスネットワーク３０に接続される加入者端末ＳＵｂ−ａ〜ＳＵｂ−ｎの中から試験対象端末を決定し、加入者試験実行装置１３−１は、試験不可回線Ｌ以外の伝送路を通じて試験情報を受信し、試験不可回線Ｌを介さずに、加入者情報制御装置１２で決定された試験対象端末に対して加入者試験を実行する、ことを特徴とする加入者試験システム１が提供される。
【００２１】
ここで、通信ネットワークは、加入者交換機２０と、アクセスネットワーク３０とを含み、加入者交換機２０とアクセスネットワーク３０とは、加入者試験の試験仕様が規定されていないインタフェース回線である試験不可回線Ｌで接続され、運用時には、試験不可回線Ｌを通じて、加入者交換機２０とアクセスネットワーク３０間で通信が行われる。加入者試験端末１１は、加入者交換機２０に接続して、加入者試験の対象端末を識別し、加入者試験の試験内容を含む試験情報を生成する。加入者情報管理部１２ａは、加入者交換機２０とアクセスネットワーク３０とのそれぞれに接続される加入者端末ＳＵａ−ａ〜ＳＵａ−ｎ、ＳＵｂ−ａ〜ＳＵｂ−ｎの加入者情報を収集して一括して管理する。試験加入者決定部１２ｂは、アクセスネットワーク３０に接続される加入者端末ＳＵｂ−ａ〜ＳＵｂ−ｎの中から、加入者試験の対象端末を決定する。加入者試験実行装置１３−１は、加入者情報制御装置１２に接続し、アクセスネットワーク３０に接続される加入者端末ＳＵｂ−ａ〜ＳＵｂ−ｎの中の加入者試験の対象端末に対して、加入者試験を実行する。
【００２２】
そして、通信ネットワーク内の加入者端末間での通信中に障害が発生し、加入者交換機２０に接続される加入者端末ＳＵａ−ａ〜ＳＵａ−ｎから加入者試験端末１１に対して、加入者試験の実行要求が上がった場合であって、加入者試験が実行される加入者端末側を試験対象端末とした際に、加入者試験端末１１は、試験対象端末が加入者交換機２０またはアクセスネットワーク３０のどちらに接続されるものかを判断し、加入者交換機２０に接続される場合には、加入者交換機２０を介して試験情報を試験対象端末へ送信して加入者試験を実行し、アクセスネットワーク３０に接続される場合には、試験対象端末を識別するための識別情報を生成して加入者情報制御装置１２へ送信し、加入者情報制御装置１２は、加入者情報の中から識別情報を検索して、アクセスネットワーク３０に接続される加入者端末ＳＵｂ−ａ〜ＳＵｂ−ｎの中から試験対象端末を決定し、加入者試験実行装置１３−１は、試験不可回線Ｌ以外の伝送路を通じて試験情報を受信し、試験不可回線Ｌを介さずに、加入者情報制御装置１２で決定された試験対象端末に対して加入者試験を実行する。
【００２３】
【発明の実施の形態】
以下、本発明の実施の形態を図面を参照して説明する。図１は加入者試験装置の原理図である。加入者試験装置１０は、試験仕様が規定されていないインタフェース（例えば、Ｖ５インタフェース）を持つ回線Ｌで接続する装置Ａ、Ｂに対し、装置Ａが収容する加入者ＳＵａ（加入者端末ＳＵａ−ａ〜ＳＵａ−ｎ）及び装置Ｂが収容する加入者ＳＵｂ（加入者端末ＳＵｂ−ａ〜ＳＵｂ−ｎ）に対して加入者試験を行う。
【００２４】
加入者試験制御手段１１は、パソコン等の情報端末に該当し、加入者試験の試験制御を行う。例えば、加入者試験制御手段１１を通じて、保守者Ｍが加入者ＳＵａ、ＳＵｂからの苦情に関する呼の受け付けを行ったり、それに伴って、どのような加入者試験を行うべきかの試験内容等が含まれる試験情報を生成して送信する。
【００２５】
また、試験加入者（試験対象として選択された加入者または加入者端末）を識別するための識別情報を加入者情報制御手段１２へ送信する。
加入者情報制御手段１２は、加入者情報管理手段１２ａと試験加入者決定手段１２ｂから構成される。加入者情報管理手段１２ａは、加入者ＳＵａ、ＳＵｂの加入者情報を収集し、一括して管理する。
【００２６】
具体的には、装置Ａの側が有している第１の加入者情報と、装置Ｂの側が有している第２の加入者情報とを収集する。そして、第１の加入者情報及び第２の加入者情報を対応させた、加入者情報対応テ−ブルＴを生成して管理する。
【００２７】
従来では、装置Ａが収容する加入者情報と、装置Ａとは遠隔にある装置Ｂが収容する加入者情報とは、それぞれの装置内のデータベースで別個に管理されているために、リアルタイムで相互に整合されない（整合までの間に時間差が発生する）といった問題があったが、加入者情報管理手段１２ａを用いることにより、隔てた場所にある異なる加入者情報を一括して管理できるので、整合時の時間差をなくすことができ、保守品質の向上を図ることが可能になる。
【００２８】
また、加入者情報管理手段１２ａは、加入者情報の更新時には、自動的に第１の加入者情報と第２の加入者情報の整合をとって更新する。なお、第１の加入者情報と第２の加入者情報の具体的な内容の詳細については後述する。
【００２９】
試験加入者決定手段１２ｂは、加入者試験制御手段１１から送られた識別情報を受信し、加入者情報対応テ−ブルＴにもとづいて、試験加入者を決定する。また、決定された試験加入者は、加入者試験制御手段１１へ通知される。
【００３０】
加入者試験実行手段１３は、加入者ＳＵｂに対する加入者試験を行うのであれば、図のように装置Ｂ内に含まれる。そして、装置Ａ、Ｂを接続する回線Ｌ以外の伝送路を通じて、加入者試験制御手段１１からの試験情報を受信し、決定された試験加入者に加入者試験を行う。
【００３１】
ここで、加入者試験が行う項目としては、例えば、加入者端末機器自体の試験、加入者端末と装置間とを接続する加入者線の試験、装置内の加入者系回路の試験等である。
【００３２】
次に動作について説明する。図２は加入者試験装置１０の動作手順を示すフローチャートである。ここでは、装置Ａが収容している加入者端末ＳＵａ−ａと、装置Ｂが収容している加入者端末ＳＵｂ−ａとが通信中に障害が発生し、加入者端末ＳＵａ−ａからの苦情呼を受け付けて、加入者端末ＳＵｂ−ａへ加入者試験を行うものとする。
〔Ｓ１〕加入者試験制御手段１１は、加入者端末ＳＵａ−ａからの苦情呼を受け付けて、加入者端末ＳＵｂ−ａのダイヤル番号を認識する。
〔Ｓ２〕加入者試験制御手段１１は、ダイヤル番号にもとづいて、装置Ａ内のデータベースに格納されている加入者端末ＳＵｂ−ａに関する第１の加入者情報（上述の識別情報に該当する）を得て、加入者情報制御手段１２へ送信する。
〔Ｓ３〕試験加入者決定手段１２ｂは、加入者試験制御手段１１から送られた第１の加入者情報を受信する。そして、加入者情報管理手段１２ａで管理している加入者情報対応テ−ブルＴを用いて、試験加入者を決定する。
〔Ｓ４〕加入者試験実行手段１３は、装置Ａ、Ｂを接続する回線Ｌ以外の伝送路を通じて、加入者試験制御手段１１からの試験情報を受信し、決定された試験加入者に対して加入者試験を行う。
【００３３】
なお、上記のステップＳ２の説明では、加入者試験制御手段１１は識別情報として第１の加入者情報を送信しているが、ダイヤル番号のみを送信するシステム構成もある。この場合については図６で後述する。
【００３４】
また、加入者ＳＵａに対して、加入者試験を行う場合には、加入者試験制御手段１１から装置Ａへ加入者試験の実行を直接指示すればよい。
以上説明したように、加入者試験装置１０は、加入者情報を一括管理し、試験加入者を決定する加入者情報制御手段１２を設けて、装置Ａ、Ｂを接続する回線Ｌ以外の伝送路を通じて、加入者試験を行う構成とした。
【００３５】
これにより、試験仕様が規定されていないインタフェースを持つ回線Ｌで接続する装置Ａ、Ｂが収容する加入者ＳＵａ、ＳＵｂへの加入者試験を行う場合に対しても、加入者試験端末（加入者試験制御手段１１）１台で効率のよい加入者試験を行うことができ、さらに、加入者情報を効率よく管理、更新することが可能になる。
【００３６】
次にＶ５インタフェースを持つ回線で接続する交換機と加入者装置を含むシステムに、加入者試験装置１０を適用した場合について説明する。図３は加入者試験装置１０を適用したシステム構成を示す図である。
【００３７】
加入者試験システム１は、Ｖ５インタフェースを持つ回線Ｌで接続する交換機であるＬＥ２０と加入者装置であるＡＮ３０とに対し、ＬＥ２０とＡＮ３０が収容する加入者に対して加入者試験を行う。
【００３８】
ＬＥ２０には、加入者試験端末１１と、加入者端末ＳＵａ−ａ〜ＳＵａ−ｎが接続する。ＬＥ２０と、ＡＮ３０内のＣＴ３１とは、Ｖ５インタフェースの２Ｍのディジタル回線Ｌで接続する。
【００３９】
そして、加入者試験端末１１とＣＴ３１との間にＭＤ（Mediation Device) １２が接続する。ＣＴ３１は、ＡＮ３０内のＲＴ３２と光ファイバＬｏで接続する。テストカード１３−１を含むＲＴ３２は、加入者端末ＳＵｂ−ａ〜ＳＵｂ−ｎと接続する。
【００４０】
また、ＭＤ１２内には、加入者情報対応テ−ブルＴを含む加入者情報管理手段１２ａと、試験加入者決定手段１２ｂが含まれる。
ここで、加入者試験制御手段１１が加入者試験端末１１、加入者情報制御手段１２がＭＤ１２、加入者試験実行手段１３がテストカード１３−１（１枚のテストカードで複数の加入者端末ＳＵｂ−ａ〜ＳＵｂ−ｎの加入者試験が行える）に該当する。
【００４１】
図４は加入者情報対応テ−ブルＴの一例を示す図である。ＤＮ１２１は、加入者端末のダイヤル番号である。Ｌ３（レイヤ３）Ａｄｄｒｅｓｓ１２２は、加入者端末毎に割り振られたネットワークアドレスである。Ｖ５Ｉｎｆ  ＩＤ１２３は、ＮＥ（ネットワークエレメント）レベルで割り振られたＩＤである（Ｖ５ネットワーク内に重複したＩＤはない）。
【００４２】
ここで、配下に加入者端末を３００台を有するＮＥａと、配下に加入者端末を２００台を有するＮＥｂがあるとすると、例えば、ＮＥａのＶ５Ｉｎｆ  ＩＤをｈ’ＦＦＦＦＦ９、加入者端末３００台のそれぞれにＬ３Ａｄｄｒｅｓｓとして０〜２９９を割り振り、ＮＥｂのＶ５Ｉｎｆ  ＩＤをｈ’ＦＦＦＦＦ８、加入者端末２００台のそれぞれにＬ３Ａｄｄｒｅｓｓとして０〜１９９を割り振る。このように、Ｌ３Ａｄｄｒｅｓｓ１２２には重複した番号が存在するが、Ｖ５Ｉｎｆ  ＩＤ１２３は重複した番号を持たない。
【００４３】
ＴＩＤ１２４は、ＲＴ３２のＩＤである。ＡＩＤ１２５は、ＳＬＣ（Subscriber Line Card：加入者線端局装置）内のスロットＩＤ（スロットには加入者端末が直接接続する）であり、加入者試験を行う際に必要な試験加入者端末の最終端ＩＤである。なお、ＳＬＣは、ＲＴ３２内に含まれ、加入者端末とＲＴ３２とのインタフェース制御を行う。
【００４４】
一方、ＤＮ１２１、Ｌ３Ａｄｄｒｅｓｓ１２２及びＶ５ｉｎｆ  ＩＤ１２３は、ＬＥ２０のデータベースが有している第１の加入者情報に該当する。Ｌ３Ａｄｄｒｅｓｓ１２２、Ｖ５ｉｎｆ  ＩＤ１２３、ＴＩＤ１２４及びＡＩＤ１２５は、ＡＮ３０のデータベースが有している第２の加入者情報に該当し、ＴＩＤ１２４とＡＩＤ１２５に対しては、ベンダ独自のＩＤが割り振られる。
【００４５】
次に加入者試験システム１の動作について説明する。図５は加入者試験システム１の動作を示すフローチャートである。ここでは、ＬＥ２０が収容している加入者端末ＳＵａ−ａと、ＡＮ３０が収容している加入者端末ＳＵｂ−ａとが通信中に障害が発生し、加入者端末ＳＵａ−ａからの苦情呼を受け付けるものとする（加入者端末ＳＵａ−ａの利用者が、電話番号１１３（国内）をかけることでオペレーションルームの保守者Ｍと会話ができる）。
〔Ｓ１０〕保守者Ｍは、加入者端末ＳＵａ−ａの利用者との会話により、利用者から依頼された、調べてほしい加入者端末のダイヤル番号ＤＮを知る。
〔Ｓ１１〕加入者試験端末１１は、ＬＥ２０内のデータベースへアクセスし、ＤＮを持つ加入者端末がＬＥ２０が収容しているものなのか、ＡＮ３０が収容しているものなのかを検索して判断する。
【００４６】
具体的には、ＤＮに対するＶ５ｉｎｆ  ＩＤの値を見て判断する。ＬＥ２０配下ならステップＳ１２へ、ＡＮ３０配下ならステップＳ１３へ行く。
〔Ｓ１２〕加入者試験端末１１は、ＬＥ２０が収容している、ＤＮを持つ加入者端末へ試験情報を送信して加入者試験を行う。
〔Ｓ１３〕加入者試験端末１１は、ＤＮに割り振られている、最新のＬ３Ａｄｄｒｅｓｓ及びＶ５ｉｎｆ  ＩＤを読み出し、識別情報として、これらＤＮ、Ｌ３Ａｄｄｒｅｓｓ及びＶ５ｉｎｆ  ＩＤをＭＤ１２へ送信する。
〔Ｓ１４〕ＭＤ１２内の試験加入者決定手段１２ｂは、加入者情報対応テ−ブルＴを用いて、受信したＤＮ、Ｌ３Ａｄｄｒｅｓｓ及びＶ５ｉｎｆ  ＩＤから、ＴＩＤ／ＡＩＤへ変換し、試験加入者のＴＩＤ／ＡＩＤを決定する。
〔Ｓ１５〕テストカード１３−１は、回線Ｌ以外の伝送路を通じて、加入者試験端末１１からの試験情報を受信し、決定されたＴＩＤ／ＡＩＤを持つ試験加入者に対して加入者試験を行う。
【００４７】
ここで、加入者情報管理手段１２ａは、ＡＮ３０内のデータベースにアクセスして、ＡＮ３０が有する第２の加入者情報であるＬ３Ａｄｄｒｅｓｓ、Ｖ５ｉｎｆ  ＩＤ、ＴＩＤ及びＡＩＤを周期的に（例えば、２４時間に１回）読み出す。または、ＡＮ３０側から自動通知してもよい。
【００４８】
一方、加入者試験端末１１では、加入者試験を行う度に、ＬＥ２０に対し、最新の第１の加入者情報であるＤＮ、Ｌ３Ａｄｄｒｅｓｓ、Ｖ５ｉｎｆ  ＩＤを読み出し、加入者情報管理手段１２ａへ送信する。
【００４９】
加入者情報管理手段１２ａは、これらを整合して加入者情報対応テ−ブルＴを生成するので、試験加入者決定手段１２ｂが試験加入者を決定する際には、常時、最新の加入者情報にもとづいて、試験加入者の決定制御を行うことができる。
【００５０】
次に加入者試験システム１の変形例について説明する。図６は加入者試験システム１の変形例を示す図である。変形例である加入者試験システム１ａは、Ｖ５インタフェースを持つ回線Ｌで接続する中央交換機であるＣＬＥ（Central Local Exchange) ２とＡＮ３０とに対し、ＣＬＥ２とＡＮ３０が収容する加入者に対して加入者試験を行う。
【００５１】
ＣＬＥ２には、ＬＥ２０ａ〜２０ｎが接続し、ＬＥ２０ａ〜２０ｎに加入者端末ＳＵａ−ａ〜ＳＵａ−ｎ…が接続する。ＣＬＥ２と、ＡＮ３０内のＣＴ３１とは、Ｖ５インタフェースの２Ｍのディジタル回線Ｌで接続する。
【００５２】
そして、加入者試験端末１１とＭＤ１２とが接続し、ＭＤ１２はＣＬＥ２とＣＴ３１と接続する。ＣＴ３１は、ＡＮ３０内のＲＴ３２と光ファイバＬｏで接続し、テストカード１３−１を含むＲＴ３２には、加入者ＳＵｂ−ａ〜ＳＵｂ−ｎが接続する。
【００５３】
また、ＭＤ１２内には、加入者情報対応テ−ブルＴを含む加入者情報管理手段１２ａと、試験加入者決定手段１２ｂが含まれる。
ＣＬＥ２は、ＬＥ２０ａ〜２０ｎがそれぞれ収容する加入者に対する加入者情報をＣＬＥ２内のデータベースで集中して管理している。
【００５４】
ＭＤ１２は、ＣＬＥ２と接続しているため、第１の加入者情報であるＤＮ、Ｌ３Ａｄｄｒｅｓｓ、Ｖ５ｉｎｆ  ＩＤを周期的に読み出すことができる（または、ＣＬＥ２側からの自動通知）。
【００５５】
次に加入者試験システム１ａの動作について説明する。図７は加入者試験システム１ａの動作を示すフローチャートである。ここでは、ＣＬＥ２が収容している加入者端末ＳＵａ−ａと、ＡＮ３０が収容している加入者端末ＳＵｂ−ａとが通信中に障害が発生し、加入者端末ＳＵａ−ａからの苦情呼を受け付けるものとする。
〔Ｓ２０〕保守者Ｍは、加入者端末ＳＵａ−ａの利用者との会話により、利用者から依頼された、調べてほしい加入者端末のダイヤル番号ＤＮを知る。
〔Ｓ２１〕加入者試験端末１１は、識別情報として、ＤＮをＭＤ１２へ送信する。
〔Ｓ２２〕加入者試験端末１１は、ＭＤ１２を介して、ＣＬＥ２内のデータベースへアクセスし、ＤＮを持つ加入者端末がＣＬＥ２が収容しているものなのか、ＡＮ３０が収容しているものなのかを検索して判断する。ＣＬＥ２配下ならステップＳ２３へ、ＡＮ３０配下ならステップＳ２４へ行く。
〔Ｓ２３〕加入者試験端末１１は、ＣＬＥ２が収容している、ＤＮを持つ加入者端末へ試験情報を送信して加入者試験を行う。
〔Ｓ２４〕ＭＤ１２内の試験加入者決定手段１２ｂは、加入者情報対応テ−ブルＴを用いて、受信した識別情報であるＤＮから、ＴＩＤ／ＡＩＤへ変換し、試験加入者のＴＩＤ／ＡＩＤを決定する（ＭＤ１２では、すでにＣＬＥ２から第１の加入者情報を受信しているので、識別情報としてはＤＮだけもらえればよい。また、第２の加入者情報をＣＴ３１から受信することは図３と同様である）。
〔Ｓ２５〕テストカード１３−１は、回線Ｌ以外の伝送路を通じて、加入者試験端末１１からの試験情報を受信し、決定されたＴＩＤ／ＡＩＤを持つ試験加入者に対して加入者試験を行う。
【００５６】
このように、加入者試験システム１ａは、識別情報として試験加入者のＤＮのみを送信するだけでよいので、加入者試験システム１と比べて、加入者試験端末１１での通信制御が単純化され、より効率よく加入者試験を行うことが可能になる。
【００５７】
次に加入者試験システム１を含むネットワーク網について説明する。図８は加入者試験システム１を含むネットワーク網を示す図である。
局４０ａ〜局４０ｎはそれぞれ、加入者試験端末１１ａとＬＥ２０ａ〜加入者試験端末１１ｎとＬＥ２０ｎを含み、これらは互いに接続する。加入者試験端末１１ａ〜１１ｎは、ＤＤＮ（Digital Data Network) ５０と接続し、ＤＤＮ５０はＭＤ１２と接続する。
【００５８】
ＭＤ１２は、加入者情報対応テ−ブルＴを含む加入者情報管理手段１２ａと、試験加入者決定手段１２ｂと、から構成されている。ＭＤ１２は、ＤＤＮ６０と接続する。ＤＤＮ６０は、Ｘ．２５のパケット交換通信網でもよい。
【００５９】
ＡＮ３０ａ〜３０ｎはそれぞれ、ＣＴ３１ａとＲＴ３２ａ〜ＣＴ３１ｎとＲＴ３２ｎを含み、これらは互いに接続する。
ＣＴ３１ａ〜ＣＴ３１ｎは、ＤＤＮ６０と接続する。また、ＬＥ２０ａ〜ＬＥ２０ｎは、ＣＴ３１ａ〜ＣＴ３１ｎとそれぞれＶ５インタフェースの回線Ｌａ〜Ｌｎで接続する。
【００６０】
このようなシステム構成に対し、局４０ａ〜局４０ｎからＡＮ３０ａ〜３０ｎへの加入者試験を行う場合には、局４０ａ〜局４０ｎからＤＤＮ５０を介して、ＤＮ、Ｌ３Ａｄｄｒｅｓｓ、Ｖ５ｉｎｆ  ＩＤが識別情報として送信され、ＭＤ１２で変換されて試験加入者のＴＩＤ、ＡＩＤが決定される。なお、詳細動作は図５で説明した動作と同様なので省略する。
【００６１】
次に加入者試験システム１ａを含むネットワーク網について説明する。図９は加入者試験システム１を含むネットワーク網を示す図である。
局４０ａ〜局４０ｎはそれぞれ、加入者試験端末１１ａとＬＥ２０ａ〜加入者試験端末１１ｎとＬＥ２０ｎを含み、これらは互いに接続する。加入者試験端末１１ａ〜１１ｎは、ＤＤＮ（Digital Data Network) ５０と接続し、ＤＤＮ５０はＭＤ１２と接続する。
【００６２】
ＭＤ１２は、加入者情報対応テ−ブルＴを含む加入者情報管理手段１２ａと、試験加入者決定手段１２ｂと、から構成されている（図示せず）。ＭＤ１２は、ＤＤＮ６０と接続する。ＤＤＮ６０は、Ｘ．２５のパケット交換通信網でもよい。また、ＭＤ１２は、ＣＬＥ２と接続し、ＣＬＥ２はＬＥ２０ａ〜ＬＥ２０ｎと接続する。
【００６３】
ＡＮ３０ａ〜３０ｎはそれぞれ、ＣＴ３１ａとＲＴ３２ａ〜ＣＴ３１ｎとＲＴ３２ｎを含み、これらは互いに接続する。
ＣＴ３１ａ〜ＣＴ３１ｎは、ＤＤＮ６０と接続する。また、ＬＥ２０ａ〜ＬＥ２０ｎは、ＣＴ３１ａ〜ＣＴ３１ｎとそれぞれＶ５インタフェースの回線Ｌａ〜Ｌｎで接続する。
【００６４】
このようなシステム構成に対し、局４０ａ〜局４０ｎからＡＮ３０ａ〜３０ｎへの加入者試験を行う場合には、局４０ａ〜局４０ｎからＤＤＮ５０を介して、ＤＮのみが識別情報として送信され、ＭＤ１２で変換されて試験加入者のＴＩＤ、ＡＩＤが決定される。なお、詳細動作は図７で説明した動作と同様なので省略する。
【００６５】
次に加入者試験方法について説明する。加入者試験方法は、試験仕様が規定されていないインタフェースを持つ回線で接続する装置が収容する加入者に対して加入者試験を行う。
【００６６】
図１０は加入者試験方法の処理手順を示すフローチャートである。
〔Ｓ３０〕加入者の加入者情報を収集して一括管理する。
〔Ｓ３１〕試験対象となる加入者である試験加入者の識別情報を送信する。
〔Ｓ３２〕識別情報により、加入者情報にもとづいて試験加入者を決定する。
〔Ｓ３３〕加入者試験に関する試験情報を、装置を接続する回線以外の伝送路を通じて送信する。
〔Ｓ３４〕決定された試験加入者に対して、試験情報にもとづいて、加入者試験を行う。
【００６７】
以上説明したように、加入者試験装置１０及び加入者試験方法は、加入者情報を一括管理し、試験加入者を決定する加入者情報制御手段１２を設けて、装置を接続する回線以外の伝送路を通じて、加入者試験を行う構成とした。
【００６８】
これにより、試験仕様が規定されていないインタフェースで接続する装置が収容する加入者へ加入者試験を行う際にも、加入者試験端末１台で加入者試験を行うことができ、保守者の作業効率及び保守品質の向上を図ることが可能になる。
【００６９】
なお、上記の説明では、試験仕様が規定されていないインタフェースとしてＶ５インタフェースを例に説明したが、Ｖ５インタフェース以外の試験仕様が規定されていないインタフェースに関しても本発明を同様に適用できる。
【００７０】
【発明の効果】
以上説明したように、本発明の加入者試験システム加入者試験の実行時、加入者試験端末は、試験対象端末が加入者交換機またはアクセスネットワークのどちらに接続されるものかを判断し、加入者交換機に接続される場合には、加入者交換機を介して試験情報を試験対象端末へ送信して加入者試験を実行し、アクセスネットワークに接続される場合には、試験対象端末を識別するための識別情報を生成して加入者情報制御装置へ送信する。そして、加入者情報制御装置は、加入者情報の中から識別情報を検索して、アクセスネットワークに接続される加入者端末の中から試験対象端末を決定し、加入者試験実行装置は、試験不可回線以外の伝送路を通じて試験情報を受信し、試験不可回線を介さずに、加入者情報制御装置で決定された試験対象端末に対して加入者試験を実行する構成とした。これにより、試験仕様が規定されていないインタフェースで接続する装置が収容されるシステムに対して、加入者試験を行う場合であっても、加入者試験端末１台で効率のよい加入者試験を行うことができるので、加入者試験効率の向上を図ることが可能になる。
【図面の簡単な説明】
【図１】  加入者試験装置の原理図である。
【図２】  加入者試験装置の動作手順を示すフローチャートである。
【図３】  加入者試験装置を適用したシステム構成を示す図である。
【図４】  加入者情報対応テ−ブルの一例を示す図である。
【図５】  加入者試験システムの動作を示すフローチャートである。
【図６】  加入者試験システムの変形例を示す図である。
【図７】  加入者試験システムの動作を示すフローチャートである。
【図８】  加入者試験システムを含むネットワーク網を示す図である。
【図９】  加入者試験システムを含むネットワーク網を示す図である。
【図１０】  加入者試験方法の処理手順を示すフローチャートである。
【図１１】  Ｖ５．１インタフェースの概略システム構成を示す図である。
【図１２】  Ｖ５．２インタフェースの概略システム構成を示す図である。
【図１３】  Ｖ５インタフェースにおける従来の加入者試験のシステム構成を示す図である。
【符号の説明】
１０  加入者試験装置
１１  加入者試験制御手段
１２  加入者情報制御手段
１２ａ  加入者情報管理手段
１２ｂ  試験加入者決定手段
１３  加入者試験実行手段
Ｌ  回線
Ｍ  保守者
ＳＵａ、ＳＵｂ  加入者
ＳＵａ−ａ〜ＳＵａ−ｎ、ＳＵｂ−ａ〜ＳＵｂ−ｎ  加入者端末
Ｔ  加入者情報対応テ−ブル
【図１】
0004093669.tif 000002
【図２】
0004093669.tif 000003
【図３】
0004093669.tif 000004
【図４】
0004093669.tif 000005
【図５】
0004093669.tif 000006
【図６】
0004093669.tif 000007
【図７】
0004093669.tif 000008
【図８】
0004093669.tif 000009
【図９】
0004093669.tif 000010
【図１０】
0004093669.tif 000011
【図１１】
0004093669.tif 000012
【図１２】
0004093669.tif 000013
【図１３】
0004093669.tif 000014